(57)【要約】【課題】ユーザの利便性が向上するオン／オフタイマー機能の音量制御方法及びこれを用いた放送受信装置を提供する。【解決手段】実施形態によれば、音量制御方法は、タイマー機能を設定し、前記タイマー機能の起動後に音量を段階的に調整し、前記タイマー機能の起動中における操作入力の受信に基づいて、前記タイマー機能を無効にする。【選択図】図４
2013026856.tif 000002
【特許請求の範囲】
【請求項１】
タイマー機能を設定し、
前記タイマー機能の起動後に音量を段階的に調整し、
前記タイマー機能の起動中における操作入力の受信に基づいて、前記タイマー機能を無効にする、
音量制御方法。
【請求項２】
音量を前記タイマー機能の起動直前の音量から０まで段階的に調整する請求項１記載の音量制御方法。
【請求項３】
前記タイマー機能を無効にした後、前記操作入力の受信時における音量を維持する請求項２記載の音量制御方法。
【請求項４】
画面輝度を前記タイマー機能の起動直前の画面輝度から０まで段階的に調整する請求項１記載の音量制御方法。
【請求項５】
前記タイマー機能を無効にした後、前記操作入力の受信時における画面輝度を設定画面輝度まで上げる請求項４記載の音量制御方法。
【請求項６】
音量を０から設定音量まで段階的に調整する請求項１記載の音量制御方法。
【請求項７】
前記タイマー機能を無効にした後、前記操作入力の受信時における音量を維持する請求項６記載の音量制御方法。
【請求項８】
画面輝度を０から設定画面輝度まで段階的に調整する請求項１記載の音量制御方法。
【請求項９】
前記タイマー機能を無効にした後、前記操作入力の受信時における画面輝度を設定画面輝度まで上げる請求項８記載の音量制御方法。
【請求項１０】
オフタイマー機能を設定し、
前記オフタイマー機能の起動後に、音量を所定時間で前記タイマー機能の起動直前の音量から０まで段階的に下げる、
を有する音量制御方法。
【請求項１１】
画面輝度を前記所定時間で前記オフタイマー機能の起動直前の画面輝度から０まで段階的に下げる請求項１０記載の音量制御方法。
【請求項１２】
音量及び画面輝度を１０段階で調整する請求項１１記載の音量制御方法。
【請求項１３】
前記オフタイマー機能の起動中における操作入力の受信に基づいて、前記オフタイマー機能を無効にし、
前記操作入力の受信時における音量を維持する請求項１２記載の音量制御方法。
【請求項１４】
前記オフタイマー機能の起動中における操作入力の受信に基づいて、前記オフタイマー機能を無効にし、
前記操作入力の受信時における画面輝度を設定画面輝度まで上げる請求項１２記載の音量制御方法。
【請求項１５】
オンタイマー機能を設定し、
前記オンタイマー機能の起動後に、音量を所定時間で０から設定音量まで段階的に上げる、
音量制御方法。
【請求項１６】
画面輝度を前記所定時間で０から設定画面輝度まで段階的に上げる請求項１５記載の音量制御方法。
【請求項１７】
音量及び画面輝度を１０段階で調整する請求項１６記載の音量制御方法。
【請求項１８】
前記オンタイマー機能の起動中における操作入力の受信に基づいて、前記オンタイマー機能を無効にし、
前記操作入力の受信時における音量を維持する請求項１７記載の音量制御方法。
【請求項１９】
前記オンタイマー機能の起動中における操作入力の受信に基づいて、前記オンタイマー機能を無効にし、
前記操作入力の受信時における画面輝度を設定画面輝度まで上げる請求項１７記載の音量制御方法。
【請求項２０】
タイマー機能を設定する設定手段と、
前記タイマー機能の起動後に音量を段階的に調整し、前記タイマー機能の起動中における操作入力の受信に基づいて、前記タイマー機能を無効にする調整手段と、
を有する放送受信装置。
【発明の詳細な説明】
【技術分野】
【０００１】
本発明の実施形態は音量制御方法及び放送受信装置に関する。
【背景技術】
【０００２】
近年のテレビは、ユーザの利便性向上のため、様々な機能を有している。例えば、テレビは、オン／オフタイマー機能を有している。オン／オフタイマー機能は、特定時刻の設定のみで、その設定時刻になるとテレビの電源がオンあるいはオフになる機能である。そのため、ユーザは、例えば、オンタイマー機能を用いて起床時刻を設定したり、オフタイマー機能を用いて就寝時刻を設定したりすることができる。
【先行技術文献】
【特許文献】
【０００３】
【特許文献１】特開２００７−１３５０１８号公報
【発明の概要】
【発明が解決しようとする課題】
【０００４】
しかしながら、テレビは、このようなオン／オフタイマー機能により、設定時刻になると、電源が突然オンあるいはオフになる。このようにテレビの電源が突然オンあるいはオフになることは、ユーザに不快感を与える可能性があるという課題があった。
【０００５】
本発明の目的は、ユーザの利便性が向上するオン／オフタイマー機能の音量制御方法及びこれを用いる放送受信装置を提供することである。
【課題を解決するための手段】
【０００６】
実施形態によれば、音量制御方法は、タイマー機能を設定し、前記タイマー機能の起動後に音量を段階的に調整し、前記タイマー機能の起動中における操作入力の受信に基づいて、前記タイマー機能を無効にする。
【図面の簡単な説明】
【０００７】
【図１】第１の実施形態に係るデジタルテレビジョン放送受信装置の概略構成を示すブロック図である。
【図２】第１の実施形態に係るオンタイマー機能及びオフタイマー機能の設定を説明する図である。
【図３】第１の実施形態に係る「だんだんオン」のオンタイマー機能及び「だんだんオン」のオンタイマー機能による制御規定の一例を示す図である。
【図４】第１の実施形態に係る「だんだんオン」のオンタイマー機能の処理を示すフローチャートである。
【図５】第１の実施形態に係る「だんだんオフ」のオフタイマー機能の処理を示すフローチャートである。
【図６】第２の実施形態に係るオンタイマー機能及びオフタイマー機能の設定を説明する図である。
【発明を実施するための形態】
【０００８】
以下、本実施形態について図面を参照して説明する。図１は、第１の実施形態に係るデジタルテレビジョン放送受信装置１００の概略構成を示すブロック図である。デジタルテレビジョン放送受信装置１００は、衛星デジタル放送チューナ１０１、ＰＳＫ（phase shift keying）復調モジュール１０２、地上デジタル放送チューナ１０３、ＯＦＤＭ（orthogonal frequency division multiplexing）復調モジュール１０４、信号処理モジュール１０５、グラフィック処理モジュール１０６、ＯＳＤ（on screen display）信号生成モジュール１０７、映像処理モジュール１０８、映像表示器（ディスプレイ）１０９、音声処理モジュール１１０、スピーカ１１１、制御モジュール１１２、操作部１１３、受光モジュール１１４、通信Ｉ／Ｆ（interface）１１５を有する。
【０００９】
衛星デジタル放送チューナ１０１は、ＢＳ／ＣＳデジタル放送受信用のアンテナ１００１で受信した衛星デジタルテレビジョン放送信号を、入力端子１００２を介して受信する。衛星デジタル放送チューナ１０１は、いずれかのチャンネルの放送信号を選局する。衛星デジタル放送チューナ１０１は、選局した放送信号をＰＳＫ復調モジュール１０２に出力する。ＰＳＫ復調モジュール１０２は、放送信号をデジタルの映像信号及び音声信号に復調する。ＰＳＫ復調モジュール１０２は、デジタルの映像信号及び音声信号を信号処理モジュール１０５に出力する。
【００１０】
地上デジタル放送チューナ１０３は、地上波放送受信用のアンテナ１００３で受信した地上デジタルテレビジョン放送信号を、入力端子１００４を介して受信する。地上デジタル放送チューナ１０３は、いずれかのチャンネルの放送信号を選局する。地上デジタル放送チューナ１０３は、選局した放送信号をＯＦＤＭ復調モジュール１０４に出力する。ＯＦＤＭ復調モジュール１０４は、放送信号をデジタルの映像信号及び音声信号に復調する。ＯＦＤＭ復調モジュール１０４は、デジタルの映像信号及び音声信号を信号処理モジュール１０５に出力する。
【００１１】
信号処理モジュール１０５は、ＰＳＫ復調モジュール１０２またはＯＦＤＭ復調モジュール１０４から供給されたデジタルの映像信号及び音声信号に対して、所定のデジタル信号処理を施し、グラフィック処理モジュール１０６及び音声処理モジュール１１０に出力する。グラフィック処理モジュール１０６は、信号処理モジュール１０５から供給されるデジタルの映像信号に、ＯＳＤ信号生成モジュール１０７が生成するＯＳＤ信号を選択的に重畳して出力する。グラフィック処理モジュール１０６は、デジタルの映像信号を映像処理モジュール１０８に出力する。映像処理モジュール１０８は、デジタルの映像信号を映像表示器１０９で表示可能なフォーマットの映像信号に変換する。映像処理モジュール１０８は、映像表示器１０９に映像信号を出力する。
【００１２】
映像表示器１０９は、映像信号に基づく映像を表示する。表示器１０９は、画面輝度（映像の明るさ）を可変のバックライト１０９１を有する。映像処理モジュール１０８は、出力端子１００６を介して映像信号を外部に導出することもできる。この場合、出力端子１００６に接続された外部機器（映像表示器）が、出力端子１００６に供給された映像信号に基づく映像を表示する。
【００１３】
音声処理モジュール１１０は、信号処理モジュール１０５から供給されるデジタルの音声信号を、スピーカ１１１で再生可能なフォーマットの音声信号に変換する。音声処理モジュール１１０は、スピーカ１１１に音声信号を出力する。スピーカ１１１は、音声信号に基づく音声を出力する。音声処理モジュール１１０は、出力端子１００７を介して音声信号を外部に導出することもできる。この場合、出力端子１００７に接続された外部機器（スピーカ）が、出力端子１００７に供給された音声信号に基づく音声を出力する。
【００１４】
制御モジュール１１２は、ＣＰＵ（central processing unit）１１２１、ＲＯＭ（read only memory）１１２２、ＲＡＭ（random access memory）１１２３、不揮発性メモリ１１２４を有する。ＣＰＵ１１２１は、操作部１１３からの操作情報または受光モジュール１１４を介してリモートコントローラ２００から受信する操作情報を受け付け、その操作内容が反映されるように各部を制御する。ＣＰＵ１１２１は、設定手段１１２１ａ、調整手段１１２１ｂを有する。設定手段１１２１ａは、後述するようにオンタイマー機能及びオフタイマー機能のユーザ設定を受け付け、各部に設定を反映する。調整手段１１２１ｂは、後述するように、オンタイマー機能及びオフタイマー機能の動作をユーザ設定に基づいて制御する。ＲＯＭ１１２２は、ＣＰＵ１１２１が実行する制御プログラムを格納する。ＲＡＭは１１２３、ＣＰＵ１１２１に作業エリアを提供する。不揮発性メモリ１１２４は、各種情報を格納する。通信Ｉ／Ｆ１１５は、制御モジュール１１２とＬＡＮ端子１００８と接続する。通信Ｉ／Ｆ１１５は、インターネット等のネットワークと接続可能である。
【００１５】
次に、オンタイマー機能及びオフタイマー機能の設定について説明する。図２は、オンタイマー機能及びオフタイマー機能の設定を説明する図である。なお、ここでは、リモートコントローラ２００のユーザ操作に基づく制御モジュール１１２の動作について説明するが、操作部１１３のユーザ操作に基づく制御モジュール１１２の動作も同様である。また、ユーザがリモートコントローラ２００で押下するボタン名は一例であり、これに限定されるものではない。また、映像表示器１０９の画面に表示されるメニュー名も一例であり、これに限定されるものではない。
【００１６】
ユーザがリモートコントローラ２００の「時計」ボタンを押下すると、デジタルテレビジョン放送受信装置１００は、「時計」ボタンの操作情報をリモートコントローラ２００から受信する。ＣＰＵ１１２１は、「時計」ボタンの操作情報に基づいて、映像表示器１０９の画面にタイマー機能メニューと現在時刻を表示するように制御する。ＣＰＵ１１２１は、タイマー機能メニューとして、「オンタイマー」メニュー、「オフタイマー」メニューを選択可能に表示する。「オンタイマー」メニューは、オンタイマー機能の詳細を設定するメニューである。「オフタイマー」メニューは、オフタイマー機能の詳細を設定するメニューである。
【００１７】
次に、オンタイマー機能の詳細設定について説明する。ユーザがリモートコントローラ２００を使用してタイマー機能メニューから「オンタイマー」メニューの選択を入力すると、ＣＰＵ１１２１は、映像表示器１０９の画面にオンタイマー機能の詳細設定メニューを表示するように制御する。ＣＰＵ１１２１は、オンタイマー機能の詳細設定メニューとして、「オンタイマー機能」メニュー、「日時」メニュー、「チャンネル」メニュー、「音量」メニューを選択可能に表示する。
【００１８】
「オンタイマー機能」メニューは、オンタイマー機能の入、切及びオンタイマー機能の種別を設定するメニューである。ユーザがリモートコントローラ２００を使用して「オンタイマー機能」メニューを選択すると、ＣＰＵ１１２１は、映像表示器１０９の画面に「切」メニュー、「通常」メニュー、「だんだんオン」メニューのいずれかを選択可能に表示する。「切」メニューは、オンタイマー機能が動作しない（無効）設定を選択するメニューである。「通常」メニューは、「通常」のオンタイマー機能が動作する（有効）設定を選択するメニューである。ここで、「通常」のオンタイマー機能とは、オンタイマー機能として設定された日時になると、ＣＰＵ１１２１が、デジタルテレビジョン放送受信装置１００の電源をオンにし、それと同時に、設定チャンネルを映像表示器１０９の画面に表示するように制御し、かつ、スピーカ１１１から設定音量で出力するように制御するモードを起動する機能である。さらに、「通常」のオンタイマー機能は、ＣＰＵ１１２１が、デジタルテレビジョン放送受信装置１００の電源をオンにするのと同時に、バックライト１０９１による画面輝度を、現在の設定として不揮発性メモリ１１２４に格納されている画面輝度（以降、設定画面輝度と称す）になるように制御するモードを起動する機能も含む。ここで設定画面輝度とは、デジタルテレビジョン放送受信装置１００の起動中にユーザによって現在設定されている画面輝度、または、デジタルテレビジョン放送受信装置１００の電源オフ直前（ラスト）にユーザによって設定されている画面輝度である。なお、設定画面輝度は、ユーザが任意に変更可能である。ユーザがリモートコントローラ２００を使用して画面輝度を変更すると、ＣＰＵ１１２１は、ユーザが変更した画面輝度を設定画面輝度として不揮発性メモリ１１２４に格納する。
【００１９】
「だんだんオン」メニューは、「だんだんオン」のオンタイマー機能が動作する（有効）設定を選択するメニューである。ここで、「だんだんオン」のオンタイマー機能とは、オンタイマー機能の起動後に、ＣＰＵ１１２１が、デジタルテレビジョン放送受信装置１００の電源をオンにした後、設定チャンネルを映像表示器１０９の画面に表示するように制御し、スピーカ１１１から出力する音量を所定時間で０から設定音量まで徐々に（以降、段階的に、経時的に、の用語も同様の意味とする）上げるように制御（調整）するモードを起動する機能である。さらに、「だんだんオン」のオンタイマー機能は、ＣＰＵ１１２１が、デジタルテレビジョン放送受信装置１００の電源をオンにした後、画面輝度を所定時間で０（バックライト１０９１がオフの状態を意味する）から設定画面輝度まで徐々に上げるように制御（調整）するモードを起動する機能も含む。ここで、設定画面輝度とは、ユーザ設定により不揮発性メモリ１１２４に格納されている画面輝度であって、ユーザが「だんだんオン」のオンタイマー機能を設定後、デジタルテレビジョン放送受信装置１００の電源をオフした時に不揮発性メモリ１１２４に格納されている画面輝度である。なお、「だんだんオン」のオンタイマー機能は、音量と画面輝度のいずれか一方を徐々に上げるモードを起動する機能であってもよい。
【００２０】
「日時」メニューは、オンタイマー機能によりデジタルテレビジョン放送受信装置１００の電源がオンになる日時を設定するメニューである。ユーザがリモートコントローラ２００を使用して「日時」メニューを選択して所望の日時を設定すると、ＣＰＵ１１２１は、オンタイマー機能の詳細設定メニューに設定日時を表示するように制御する。なお、ユーザが設定可能な日時は、曜日（例えば、特定の曜日、毎週、月〜土、月〜金、月〜木など）と時刻である。
【００２１】
「チャンネル」メニューは、オンタイマー機能によりデジタルテレビジョン放送受信装置１００の電源がオンになる際の表示対象となるチャンネルを設定するメニューである。ユーザがリモートコントローラ２００を使用して「チャンネル」メニューを選択して所望のチャンネルを設定すると、ＣＰＵ１１２１は、オンタイマー機能の詳細設定メニューに設定チャンネルを表示するように制御する。なお、ユーザが設定可能なチャンネルは、デジタルテレビジョン放送受信装置１００が受信可能なチャンネルである。したがって、第１の実施形態では、ユーザが設定可能なチャンネルは、ＢＳ／ＣＳデジタル放送及び地上デジタル放送のチャンネルである。
【００２２】
「音量」メニューは、オンタイマー機能によりデジタルテレビジョン放送受信装置１００の電源がオンになる際の最大音量を設定するメニューである。ユーザがリモートコントローラ２００を使用して「音量」メニューを選択して所望の音量を設定すると、ＣＰＵ１１２１は、オンタイマー機能の詳細設定メニューに設定音量を表示するように制御する。
【００２３】
ＣＰＵ１１２１（設定手段１１２１ａ）は、オンタイマー機能を設定する。つまり、ＣＰＵ１１２１は、上記したオンタイマー機能の詳細設定メニューでのユーザ設定情報（オンタイマー機能の入、切及び種類の選択、日時、チャンネル、音量）を受け付け、不揮発性メモリ１１２４に格納する。
【００２４】
次に、オフタイマー機能の詳細設定について説明する。ユーザがリモートコントローラ２００を使用してタイマー機能メニューから「オフタイマー」メニューの選択を入力すると、ＣＰＵ１１２１は、映像表示器１０９の画面にオフタイマー機能の詳細設定メニューを表示するように制御する。ＣＰＵ１１２１は、オフタイマー機能の詳細設定メニューとして、「オフタイマー機能」メニュー、「時間」メニューを選択可能に表示する。
【００２５】
「オフタイマー機能」メニューは、オフタイマー機能の入、切及びオフタイマー機能の種別を設定するメニューである。ユーザがリモートコントローラ２００を使用して「オフタイマー機能」メニューを選択すると、ＣＰＵ１１２１は、映像表示器１０９の画面に「切」メニュー、「通常」メニュー、「だんだんオフ」メニューのいずれかを選択可能に表示する。「切」メニューは、オフタイマー機能が動作しない（無効）設定を選択するメニューである。「通常」メニューは、「通常」のオフタイマー機能が動作する（有効）設定を選択するメニューである。ここで、「通常」のオフタイマー機能とは、現在時刻からオフタイマー機能として設定された時間経過と同時に、ＣＰＵ１１２１が、デジタルテレビジョン放送受信装置１００の電源をオフにするように制御するモードを起動する機能である。
【００２６】
「だんだんオフ」メニューは、「だんだんオフ」のオフタイマー機能が動作する（有効）設定を選択するメニューである。ここで、「だんだんオフ」のオフタイマー機能とは、「だんだんオフ」のオフタイマー機能の起動時の時刻から設定時間経過後に、ＣＰＵ１１２１が、スピーカ１１１から出力する音量を所定時間で現在の音量からデジタルテレビジョン放送受信装置１００の電源をオフにする（音量０にする）まで徐々に下げるように制御（調整）するモードを起動する機能である。なお、現在の音量とは、「だんだんオフ」のオフタイマー機能の起動直前の音量である。さらに、「だんだんオフ」のオフタイマー機能は、「だんだんオフ」のオフタイマー機能の起動時の時刻から設定時間経過後に、ＣＰＵ１１２１が、バックライト１０９１による画面輝度を、所定時間で「だんだんオフ」のオフタイマー機能の起動直前の設定画面輝度からデジタルテレビジョン放送受信装置１００の電源をオフにする（画面輝度を０にする）まで徐々に下げるように制御（調整）するモードを起動する機能も含む。なお、「だんだんオフ」のオフタイマー機能は、音量と画面輝度のいずれか一方を徐々に下げるモードを起動する機能であってもよい。
【００２７】
「時間」メニューは、「通常」のオフタイマー機能が選択されている場合は、「通常」のオフタイマー機能が有効になった時刻からデジタルテレビジョン放送受信装置１００の電源がオフになるまでの時間を設定するメニューである。また、「時間」メニューは、「だんだんオフ」のオフタイマー機能が選択されている場合は、「だんだんオフ」のオフタイマー機能が有効になった時刻からＣＰＵ１１２１（調整手段１１２１ｂ）による音量及び画面輝度の調整が開始するまでの時間を設定するメニューである。ユーザがリモートコントローラ２００を使用して「時間」メニューを選択して所望の時間を入力すると、ＣＰＵ１１２１は、オフタイマー機能の詳細設定メニューに入力された時間を表示するように制御する。
【００２８】
ＣＰＵ１１２１（設定手段１１２１ａ）は、オフタイマー機能を設定する。つまり、ＣＰＵ１１２１は、オフタイマー機能の詳細設定メニューでのユーザ設定情報（オフタイマー機能の入、切及び種類の選択、時間）を受け付け、不揮発性メモリ１１２４に格納する。
【００２９】
次に、「だんだんオン」のオンタイマー機能が選択された場合の音量及び画面輝度の制御の一例について説明する。図３の（ａ）は、「だんだんオン」のオンタイマー機能による制御規定の一例を示す図である。
【００３０】
図３の（ａ）を用いて、「だんだんオン」のオンタイマー機能による制御規定について説明する。図３の（ａ）に示すように、不揮発性メモリ１１２４は、「だんだんオン」のオンタイマー機能として、ＣＰＵ１０２１がデジタルテレビジョン放送受信装置１００の電源をオンにした後、スピーカ１１１から出力する音量を所定時間（４分３０秒）で０から設定音量まで徐々に上げるように制御するための音量テーブルを格納する。音量テーブルは、デジタルテレビジョン放送受信装置１００の電源がオンになった後の時間と、設定音量に対する音量を対応付けている。
【００３１】
図３の（ａ）に示す音量テーブルは、デジタルテレビジョン放送受信装置１００の電源がオンになった後、スピーカ１１１からの音量が１０段階で音量０から設定音量になるように規定されいる。つまり、図３の（ａ）に示す音量テーブルは、所定時間（４分３０秒）の１／９である３０秒毎に、設定音量の１／１０ずつ音量を上げていく設定が規定されている。例えば、デジタルテレビジョン放送受信装置１００の電源がオンになった直後の０分〜３０秒までは、設定音量の１／１０の音量であり、２分〜２分３０秒までは設定音量の５／１０の音量であり、４分３０秒以降は、設定音量である。１段階当たりの時間は、所定時間に依存し、１段階当たりの音量の上昇分は、設定音量に依存する。なお、所定時間は、可変であってもよい。
【００３２】
同様に、図３の（ａ）に示すように、不揮発性メモリ１１２４は、「だんだんオン」のオンタイマー機能として、ＣＰＵ１０２１がデジタルテレビジョン放送受信装置１００の電源をオンにした後、バックライト１０９１による画面輝度を所定時間（４分３０秒）で０から設定画面輝度まで徐々に上げるように制御するための画面輝度テーブルを格納する。画面輝度テーブルは、デジタルテレビジョン放送受信装置１００の電源がオンなった後の時間と、設定画面輝度に対する画面輝度を対応付けている。
【００３３】
図３の（ａ）に示す画面輝度テーブルは、デジタルテレビジョン放送受信装置１００の電源がオンなった後、画面輝度が１０段階で画面輝度０から設定画面輝度になるように規定されいる。つまり、図３の（ａ）に示す画面輝度テーブルは、所定時間（４分３０秒）の１／９である３０秒毎に、設定画面輝度の１／１０ずつ画面輝度を上げていく設定が規定されている。例えば、デジタルテレビジョン放送受信装置１００の電源がオンになった直後の０分〜３０秒までは、設定画面輝度の１／１０の画面輝度であり、２分〜２分３０秒までは設定画面輝度の５／１０の画面輝度であり、４分３０秒以降は、設定画面輝度である。１段階当たりの時間は、所定時間に依存し、１段階当たりの画面輝度の上昇分は、設定画面輝度に依存する。なお、所定時間は、可変であってもよい。
【００３４】
次に、ＣＰＵ１１２１による「だんだんオン」のオンタイマー機能の処理について説明する。図４は、「だんだんオン」のオンタイマー機能の処理を示すフローチャートである。ここでは、ユーザが、オンタイマー機能の詳細設定メニュー上で各種メニューを設定後、デジタルテレビジョン放送受信装置１００の電源をオフにしたものとする。
【００３５】
ＣＰＵ１１２１は、不揮発性メモリ１１２４に格納されているオンタイマー機能の詳細設定メニューで設定された日時情報を参照して、現在日時が設定日時になったことを検知すると、オンタイマー機能を起動して処理を開始する。ＣＰＵ１１２１は、不揮発性メモリ１１２４に格納されているオンタイマー機能の詳細設定メニューで設定されたチャンネル情報を参照して、映像表示器１０９に設定チャンネルで放送中の番組を表示するように制御し、設定されたオンタイマー機能が「だんだんオン」のオンタイマー機能か否かを判断する（Ｂｌｏｃｋ４０１）。ＣＰＵ１１２１は、設定されたオンタイマー機能が「だんだんオン」のオンタイマー機能でないと判断すると（Ｂｌｏｃｋ４０１、Ｎｏ）、設定音量をスピーカ１１１から出力するように制御し、画面輝度を設定画面輝度にするようにバックライト１０９１を制御して処理を終了する。
【００３６】
ＣＰＵ１１２１は、設定されたオンタイマー機能が「だんだんオン」のオンタイマー機能であると判断すると（Ｂｌｏｃｋ４０１、Ｙｅｓ）、ｎ＝１を設定し、不揮発性メモリ１１２４に格納されているオンタイマー機能の詳細設定メニューで設定された音量情報及び音量テーブルを参照して、音量テーブルに設定された時間に設定音量のｎ／１０の音量をスピーカ１１１から出力するように制御する（Ｂｌｏｃｋ４０２）。
【００３７】
次に、ＣＰＵ１１２１は、不揮発性メモリ１１２４に格納されている設定画面輝度の情報及び画面輝度テーブルを参照して、画面輝度テーブルに設定された時間に設定画面輝度のｎ／１０の画面輝度になるようにバックライト１０９１を制御する（Ｂｌｏｃｋ４０３）。次に、ＣＰＵ１１２１は、番組の映像に「だんだんオン」のオンタイマー機能が動作中であることを示すＯＳＤ表示としての画面アニメーションを重畳して映像表示器１０９に表示するように制御する（Ｂｌｏｃｋ４０４）。なお、ＣＰＵ１１２１は、この画面アニメーションを点滅させるなど、ユーザに喚起を促すように表示してもよい。
【００３８】
次に、ＣＰＵ１１２１は、「だんだんオン」のオンタイマー機能の起動中に、デジタルテレビジョン放送受信装置１００に対して操作部１１３またはリモートコントローラ２００を用いた何らかのユーザ操作が入力されたか否かを判断する（Ｂｌｏｃｋ４０５）。ユーザ操作とは、例えばチャンネルの変更などであるが、これに限定されるものではない。
【００３９】
ＣＰＵ１１２１は、デジタルテレビジョン放送受信装置１００に対するユーザ操作の入力を受信したと判断すると（Ｂｌｏｃｋ４０５、Ｙｅｓ）、現在実行中の「だんだんオン」のオンタイマー機能を無効にした後、映像、音声、画面輝度を次のように制御して処理を終了する。ＣＰＵ１１２１は、現在表示中の番組の映像の表示を維持するように制御する。ＣＰＵ１１２１は、ユーザ操作の入力を受信した時の音量である設定音量のｎ／１０の音量を維持するように制御する。ＣＰＵ１１２１は、設定画面輝度のｎ／１０の画面輝度を設定画面輝度（１０／１０の画面輝度）に変更するように制御する。
【００４０】
ＣＰＵ１１２１は、デジタルテレビジョン放送受信装置１００に対するユーザ操作の入力を受信していないと判断すると（Ｂｌｏｃｋ４０５、Ｎｏ）、ｎ／１０＝１か否かを判断する（Ｂｌｏｃｋ４０６）。ＣＰＵ１１２１は、ｎ／１０＝１でないと判断すると（Ｂｌｏｃｋ４０６、Ｎｏ）、ｎをｎ＋１にする（Ｂｌｏｃｋ４０７）。そして、ＣＰＵ１１２１は、Ｂｌｏｃｋ４０２に戻って処理を続行する。
【００４１】
ＣＰＵ１１２１は、ｎ／１０＝１と判断すると（Ｂｌｏｃｋ４０６、Ｙｅｓ）、「だんだんオン」のオンタイマー機能の処理を終了する。このとき、スピーカ１１１が出力する音量は、設定音量（１０／１０の音量）まで到達し、バックライト１０９１による画面輝度は、設定画面輝度（１０／１０の画面輝度）まで到達している。なお、ＣＰＵ１１２１がＢｌｏｃｋ４０２、Ｂｌｏｃｋ４０３、Ｂｌｏｃｋ４０４を処理する順序は、図４に示す例に限られるものではない。ＣＰＵ１１２１は、「だんだんオン」のオンタイマー機能が音量と画面輝度のいずれか一方を徐々に上げるモードであれば、Ｂｌｏｃｋ４０２またはＢｌｏｃｋ４０３のいずれか一方の処理を省略する。
【００４２】
次に、「だんだんオフ」のオフタイマー機能が選択された場合の音量及び画面輝度の制御の一例について説明する。図３の（ｂ）は、「だんだんオフ」のオフタイマー機能による制御規定の一例を示す図である。
【００４３】
図３の（ｂ）を用いて、「だんだんオフ」のオフタイマー機能による制御規定について説明する。図３の（ｂ）に示すように、不揮発性メモリ１１２４は、「だんだんオフ」のオフタイマー機能として、ＣＰＵ１０２１が「だんだんオフ」のオフタイマー機能が有効になった時刻からスピーカ１１１から出力する音量を所定時間（９分）で現在の音量からデジタルテレビジョン放送受信装置１００の電源をオフにする（音量０にする）まで徐々に下げるように制御するための音量テーブルを格納する。音量テーブルは、音量が０になるまでの残り時間と、現在の音量に対する音量を対応付けている。図３の（ｂ）に示す音量テーブルは、スピーカ１１１からの音量が現在の音量から１０段階で音量０になるように規定されいる。つまり、図３の（ｂ）に示す音量テーブルは、所定時間（９分）の１／９である１分毎に、現在の音量の１／１０ずつ音量を下げていく設定が規定されている。例えば、音量の調整が開始する前（つまり、音量が０になるまでの残り時間９分）までは、現在の音量であり、音量が０になるまでの残り時間５分〜４分までは、現在の音量の５／１０の音量であり、音量が０になるまでの残り時間１分〜電源オフまでは、現在の音量の１／１０の音量である。１段階当たりの時間は、所定時間に依存し、１段階当たりの音量の下降分は、現在の音量に依存する。なお、所定時間は、可変であってもよい。
【００４４】
同様に、図３の（ｂ）に示すように、不揮発性メモリ１１２４は、「だんだんオフ」のオフタイマー機能として、ＣＰＵ１０２１が「だんだんオフ」のオフタイマー機能が有効になった時刻からバックライト１０９１による画面輝度を所定時間（９分）で設定画面輝度からデジタルテレビジョン放送受信装置１００電源をオフにする（画面輝度０にする）まで徐々に下げるように制御するための画面輝度テーブルを格納する。画面輝度テーブルは、画面輝度が０になるまでの残り時間と、設定画面輝度に対する画面輝度を対応付けている。
【００４５】
図３の（ｂ）に示す画面輝度テーブルは、画面輝度が１０段階で設定画面輝度から画面輝度０になるように規定されいる。つまり、図３の（ｂ）に示す画面輝度テーブルは、所定時間（９分）の１／９である１分毎に、設定画面輝度の１／１０分ずつ画面輝度を下げていく設定が規定されている。例えば、画面輝度の調整が開始する前（つまり、画面輝度が０になるまでの残り時間９分）までは、設定画面輝度であり、画面輝度が０になるまでの残り時間５分〜４分までは、設定画面輝度の５／１０の画面輝度であり、画面輝度が０になるまでの残り時間１分〜電源オフまでは、設定画面輝度の１／１０の画面輝度である。１段階当たりの時間は、所定時間に依存し、１段階当たりの画面輝度の下降分は、設定画面輝度に依存する。なお、所定時間は、可変であってもよい。
【００４６】
次に、ＣＰＵ１１２１による「だんだんオフ」のオフタイマー機能の処理について説明する。図５は、「だんだんオフ」のオフタイマー機能の処理を示すフローチャートである。ここでは、ユーザが、オフタイマー機能の詳細設定メニュー上で各種メニューを設定したものとする。
【００４７】
ＣＰＵ１１２１は、不揮発性メモリ１１２４に格納されているオフタイマー機能の詳細設定メニューで設定された時間情報を参照して、「だんだんオフ」のオフタイマー機能が有効になった時刻から設定時間経過したと検知すると、オフタイマー機能を起動して処理を開始する。ＣＰＵ１１２１は、不揮発性メモリ１１２４に格納されているオフタイマー機能の詳細設定メニューで設定されたオフタイマー機能が「だんだんオフ」のオフタイマー機能か否かを判断する（Ｂｌｏｃｋ５０１）。ＣＰＵ１１２１は、設定されたオフタイマー機能が「だんだんオフ」のオフタイマー機能でないと判断すると（Ｂｌｏｃｋ５０１、Ｎｏ）、「通常」のオフタイマー機能により、すぐにデジタルテレビジョン放送受信装置１００の電源をオフにするように制御して処理を終了する。
【００４８】
ＣＰＵ１１２１は、設定されたオフタイマー機能が「だんだんオフ」のオフタイマー機能であると判断すると（Ｂｌｏｃｋ５０１、Ｙｅｓ）、ｎ＝０を設定し、不揮発性メモリ１１２４に格納されているオフタイマー機能の詳細設定メニューで設定された音量情報及び音量テーブルを参照して、音量テーブルに設定された時間に設定音量の（１０−ｎ）／１０の音量をスピーカ１１１から出力するように制御する（Ｂｌｏｃｋ５０２）。
【００４９】
次に、ＣＰＵ１１２１は、不揮発性メモリ１１２４に格納されている設定画面輝度の情報及び画面輝度テーブルを参照して、画面輝度テーブルに設定された時間に設定画面輝度の（１０−ｎ）／１０の画面輝度になるようにバックライト１０９１を制御する（Ｂｌｏｃｋ５０３）。次に、ＣＰＵ１１２１は、番組の映像に「だんだんオフ」のオフタイマー機能が動作中であることを示すＯＳＤ表示としての画面アニメーションを重畳して映像表示器１０９に表示するように制御する（Ｂｌｏｃｋ５０４）。なお、ＣＰＵ１１２１は、この画面アニメーションを点滅させるなど、ユーザに喚起を促すように表示してもよい。
【００５０】
次に、ＣＰＵ１１２１は、「だんだんオフ」のオフタイマー機能の起動中に、デジタルテレビジョン放送受信装置１００に対して操作部１１３またはリモートコントローラ２００を用いた何らかのユーザ操作が入力されたか否かを判断する（Ｂｌｏｃｋ５０５）。ユーザ操作とは、例えばチャンネルの変更などであるが、これに限定されるものではない。
【００５１】
ＣＰＵ１１２１は、デジタルテレビジョン放送受信装置１００に対するユーザ操作の入力を受信したと判断すると（Ｂｌｏｃｋ５０５、Ｙｅｓ）、現在実行中の「だんだんオフ」のオフタイマー機能を無効にした後、映像、音声、画面輝度を次のように制御して処理を終了する。ＣＰＵ１１２１は、現在表示中の番組の映像の表示を維持するように制御する。ＣＰＵ１１２１は、ユーザ操作の入力を受信した時の音量である設定音量の（１０−ｎ）／１０の音量の出力を維持するように制御する。ＣＰＵ１１２１は、設定画面輝度の（１０−ｎ）／１０の画面輝度を設定画面輝度（１０／１０の画面輝度）に変更するように制御する。つまり、ＣＰＵ１１２１は、デジタルテレビジョン放送受信装置１００の電源をオフにしない。
【００５２】
ＣＰＵ１１２１は、デジタルテレビジョン放送受信装置１００に対するユーザ操作の入力を受信していないと判断すると（Ｂｌｏｃｋ５０５、Ｎｏ）、１０−ｎ＝１か否かを判断する（Ｂｌｏｃｋ５０６）。ＣＰＵ１１２１は、１０−ｎ＝１でないと判断すると（Ｂｌｏｃｋ５０６、Ｎｏ）、ｎをｎ＋１にする（Ｂｌｏｃｋ５０７）。そして、ＣＰＵ１１２１は、Ｂｌｏｃｋ５０２に戻って処理を続行する。
【００５３】
ＣＰＵ１１２１は、１０−ｎ＝１と判断すると（Ｂｌｏｃｋ５０６、Ｙｅｓ）、デジタルテレビジョン放送受信装置１００の電源をオフにし、「だんだんオフ」のオフタイマー機能の処理を終了する。このとき、デジタルテレビジョン放送受信装置１００の電源がオフになっているので、スピーカ１１１が出力する音量は０まで到達し、バックライト１０９１による画面輝度も０まで到達している。なお、ＣＰＵ１１２１がＢｌｏｃｋ５０２、Ｂｌｏｃｋ５０３、Ｂｌｏｃｋ５０４を処理する順序は、図５に示す例に限られるものではない。ＣＰＵ１１２１は、「だんだんオフ」のオフタイマー機能が音量と画面輝度のいずれか一方を徐々に下げるモードであれば、Ｂｌｏｃｋ５０２またはＢｌｏｃｋ５０３のいずれか一方の処理を省略する。
【００５４】
第１の実施形態によれば、次のような効果を奏する。ユーザは、「だんだんオン」のオンタイマー機能を設定することにより、音量、画面輝度の上昇を急激ではなくゆっくりと把握できるため、不快感なく設定時刻になったことを把握できる。そのため、ユーザは、例えば、起床時刻がきたことをゆっくりと把握できる。同様に、また、ユーザは、「だんだんオフ」のオフタイマー機能を設定することにより、音量、画面輝度の下降を急激ではなくゆっくりと把握できるため、不快感なく設定時刻になったことを把握できる。そのため、ユーザは、例えば、就寝時刻がきたことをゆっくりと把握できる。
【００５５】
さらに、ユーザは、映像表示器１０９に表示される「だんだんオン」のオンタイマー機能及び「だんだんオン」のオンタイマー機能が動作中であることを示す画面アニメーションが視認することで、音量、画面輝度が変化する理由を一目で把握できる。
【００５６】
さらに、ユーザは、「だんだんオン」のオンタイマー機能及び「だんだんオン」のオンタイマー機能が動作中にデジタルテレビジョン放送受信装置１００に対して何らかの操作をすることで容易にこれらの機能の動作を無効にできる。これらの機能の動作が無効になるのは、ユーザにデジタルテレビジョン放送受信装置１００の利用を継続する意思があるため、これらの機能の動作を継続する必要がないからである。したがって、「だんだんオン」のオンタイマー機能及び「だんだんオフ」のオフタイマー機能は、視覚的、聴覚的効果により、ユーザにとって使いやすく、興味を持たせる機能である。したがって、タイマー機能に興味がなかったユーザに対しても使用頻度の向上が見込まれる。
【００５７】
次に、第２の実施形態について説明する。デジタルテレビジョン放送受信装置１００の構成は、図１の示す第１の実施形態と同様であるため、説明を省略する。第２の実施形態に係るオンタイマー機能及びオフタイマー機能の設定について説明する。図６は、オンタイマー機能及びオフタイマー機能の設定を説明する図である。ユーザがリモートコントローラ２００の「時計」ボタンを押下すると、第１の実施形態と同様に、ＣＰＵ１１２１は、タイマー機能メニューとして、「オンタイマー」メニュー、「オフタイマー」メニューを選択可能に表示する。
【００５８】
はじめに、オンタイマー機能の詳細設定について説明する。ユーザがリモートコントローラ２００を使用してタイマー機能メニューから「オンタイマー」メニューの選択を入力すると、ＣＰＵ１１２１は、映像表示器１０９の画面にオンタイマー機能の詳細設定メニューを表示するように制御する。ＣＰＵ１１２１は、オンタイマー機能の詳細設定メニューとして、第１の実施形態で説明した「オンタイマー機能」メニュー、「日時」メニュー、「チャンネル」メニュー、「音量」メニューに加えて、「番組指定」メニューを選択可能に表示する。
【００５９】
「番組指定」メニューは、オンタイマー機能の起動対象となる番組を設定するメニューである。ユーザがリモートコントローラ２００を使用して「番組指定」メニューを選択すると、ＣＰＵ１１２１は、映像表示器１０９の画面に番組表を起動して表示するように制御する。番組表は、衛星デジタル放送チューナ１０１または地上デジタル放送チューナ１０３を介して放送信号から取得した電子番組表（ＥＰＧ）である。ＣＰＵ１１２１は、この番組表でのリモートコントローラ２００を使用したユーザによる番組選択を受け付ける。なお、ＣＰＵ１１２１は、「番組指定」メニューで番組が選択された場合、「日時」メニュー、「チャンネル」メニューを選択不可とするように制御してもよい。
【００６０】
ＣＰＵ１１２１（設定手段１１２１ａ）は、オンタイマー機能を設定する。つまり、ＣＰＵ１１２１は、オンタイマー機能の詳細設定メニューでのユーザ設定情報（オンタイマー機能の入、切及び種類の選択、日時、チャンネル、音量、番組指定）を受け付け、不揮発性メモリ１１２４に格納する。
【００６１】
次に、「通常」のオンタイマー機能が選択され、かつ、番組表で所望の番組が選択された場合の音量及び画面輝度の制御の一例について説明する。ＣＰＵ１１２１は、選択番組が開始する時刻の経過と同時に、デジタルテレビジョン放送受信装置１００の電源をオンにし、設定音量をスピーカ１１１から出力するように制御し、画面輝度を設定画面輝度にするようにバックライト１０９１を制御する。
【００６２】
次に、「だんだんオン」のオンタイマー機能が選択され、かつ、番組表で所望の番組が選択された場合の音量及び画面輝度の制御の一例について説明する。不揮発性メモリ１１２４は、第１の実施形態と同様に、図３の（ａ）に示す「だんだんオン」のオンタイマー機能を制御するための音量テーブル及び画面輝度テーブルを格納する。
【００６３】
ＣＰＵ１１２１は、「だんだんオン」のオンタイマー機能が選択され、かつ、番組表で所望の番組が選択された場合、選択番組の開始時刻前から音量及び画面輝度の調整を開始する。一例として、ＣＰＵ１１２１は、選択番組の開始時刻の所定時間（第２の実施形態では４分３０秒）前にデジタルテレビジョン放送受信装置１００の電源をオンにし、図３の（ａ）に示す音量テーブル及び画面輝度テーブルを参照して、スピーカ１１１が出力する音量、バックライト１０９１による画面輝度を徐々に上げるように制御する。ＣＰＵ１１２１は、選択番組の開始時刻の直前に、スピーカ１１１から出力する音量を最大（設定音量である１０／１０の音量）、画面輝度を最大（設定画面輝度である１０／１０の画面輝度）にする。したがって、選択番組は、音量が最大、画面輝度が最大になったところで開始する。なお、ＣＰＵ１１２１による「だんだんオン」のオンタイマー機能の処理は、図４に示すフローチャートと同様であるため、説明を省略する。
【００６４】
次に、オフタイマー機能の詳細設定について説明する。ユーザがリモートコントローラ２００を使用してタイマー機能メニューから「オフタイマー」メニューの選択を入力すると、ＣＰＵ１１２１は、映像表示器１０９の画面にオフタイマー機能の詳細設定メニューを表示するように制御する。ＣＰＵ１１２１は、オフタイマー機能の詳細設定メニューとして、第１の実施形態で説明した「オフタイマー機能」メニュー、「時間」メニューに加えて、「番組指定」メニューを選択可能に表示する。
【００６５】
「番組指定」メニューは、オフタイマー機能の起動対象となる番組を設定するメニューである。ユーザがリモートコントローラ２００を使用して「番組指定」メニューを選択すると、ＣＰＵ１１２１は、映像表示器１０９の画面に番組表を起動して表示するように制御する。ＣＰＵ１１２１は、この番組表でのリモートコントローラ２００を使用したユーザによる番組選択を受け付ける。なお、ＣＰＵ１１２１は、「番組指定」メニューで番組が選択された場合、「時間」メニューを選択不可とするように制御してもよい。
【００６６】
ＣＰＵ１１２１（設定手段１１２１ａ）は、オフタイマー機能を設定する。つまり、ＣＰＵ１１２１は、オフタイマー機能の詳細設定メニューでのユーザ設定情報（オンタイマー機能の入、切及び種類の選択、時間、番組指定）を受け付け、不揮発性メモリ１１２４に格納する。
【００６７】
次に、「通常」のオフタイマー機能が選択され、かつ、番組表で所望の番組が選択された場合の音量及び画面輝度の制御の一例について説明する。ＣＰＵ１１２１は、選択番組が終了する時刻の経過と同時に、デジタルテレビジョン放送受信装置１００の電源をオフにする。
【００６８】
次に、「だんだんオフ」のオフタイマー機能が選択され、かつ、番組表で所望の番組が選択された場合の音量及び画面輝度の制御の一例について説明する。不揮発性メモリ１１２４は、第１の実施形態と同様に、図３の（ｂ）に示す「だんだんオフ」のオフタイマー機能を制御するための音量テーブル及び画面輝度テーブルを格納する。
【００６９】
ＣＰＵ１１２１は、「だんだんオフ」のオフタイマー機能が選択され、かつ、番組表で所望の番組が選択された場合、選択番組の終了時刻から、音量及び画面輝度の調整を開始する。一例として、ＣＰＵ１１２１は、図３の（ｂ）に示す音量テーブル及び画面輝度テーブルを参照して、スピーカ１１１から出力する音量を現在の音量（１０／１０の音量）から徐々に下げ、画面輝度を設定画面輝度（１０／１０の画面輝度）から徐々に下げるように制御する。ＣＰＵ１１２１は、選択番組の終了時刻から所定時間（第２の実施形態では９分）経過後にデジタルテレビジョン放送受信装置１００の電源がオフになるように制御する。なお、ＣＰＵ１１２１による「だんだんオン」のオンタイマー機能の処理は、図４に示すフローチャートと同様であるため、説明を省略する。
【００７０】
第２の実施形態によれば、第１の実施形態のおける効果に加えて次のような効果を奏する。ユーザは、番組単位で「だんだんオン」のオンタイマー機能を設定することにより視聴したい番組を見逃すことなく視聴できると共に、この番組の開始を見逃すことを防止できる。また、ユーザは、番組単位で「だんだんオフ」のオフタイマー機能を設定することにより、視聴したい番組を最後まで通常の音量、画面輝度で視聴できる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１００…デジタルテレビジョン放送受信装置、１０９…映像表示器、１１１…スピーカ、１１２…制御モジュール、１１３…操作部、１１４…受光モジュール、２００…リモートコントローラ、１０９１…バックライト、１１２１…ＣＰＵ、１１２１ａ…設定手段、１１２１ｂ…調整手段、１１２４…不揮発性メモリ。
【図１】
2013026856.tif 000003
【図２】
2013026856.tif 000004
【図３】
2013026856.tif 000005
【図４】
2013026856.tif 000006
【図５】
2013026856.tif 000007
【図６】
2013026856.tif 000008